(57)【要約】      （修正有）【課題】隠蔽性を損なわずと肌の一体感のある化粧用隠蔽シールの提供。【解決手段】被装着者の肌に付されて肌の濃色部分を隠蔽する隠蔽シールであって、当該隠蔽シールの一部が肌色に着色されていて、当該着色パターンは当該着色パターンの外縁から適宜の幅で設けられる周囲部分８と当該周囲部分８で囲まれる中心部分７とを有し、当該中心部分７においては、着色非存在部分に対する着色存在部分の面積比は約８０％以上であり、中心部分７の外縁から周囲部分８の外縁に向かって、着色非存在部分に対する着色存在部分の面積比が徐々に減少し、周囲部分の外縁近辺において、着色非存在部分に対する着色存在部分の面積比は約２０％未満とする。【選択図】図４
2013252400.tif 000002
【特許請求の範囲】
【請求項１】
被装着者の肌に付されて肌の濃色部分を隠蔽する隠蔽シールであって、
当該隠蔽シールの一部が肌色に着色されていて、
当該着色パターンは当該着色パターンの外縁から適宜の幅で設けられる周囲部分と当該周囲部分で囲まれる中心部分とを有し、
当該中心部分においては、着色非存在部分に対する着色存在部分の面積比は約８０％以上であり、
中心部分の外縁から周囲部分の外縁に向かって、着色非存在部分に対する着色存在部分の面積比が徐々に減少し、
周囲部分の外縁近辺において、着色非存在部分に対する着色存在部分の面積比は約２０％未満となることを特徴とする化粧用隠蔽シール。
【請求項２】
被装着者の肌に付されて肌の濃色部分を隠蔽する隠蔽シールであって、
当該隠蔽シールの一部が肌色に着色されていて、
当該着色パターンは当該着色パターンの外縁から適宜の幅で設けられる周囲部分と当該周囲部分で囲まれる中心部分とを有し、
当該中心部分の着色層の数が当該周囲部分の着色層の数よりも多いことを特徴とする隠蔽シール。
【請求項３】
被装着者の肌に付されて肌の濃色部分を隠蔽する隠蔽シールであって、
当該隠蔽シールの一部が肌色に着色されていて、
当該着色パターンは当該着色パターンの外縁から適宜の幅で設けられる周囲部分と当該周囲部分で囲まれる中心部分とを有し、
当該中心部分の着色材料と当該周囲部分の着色材料とが異なることを特徴とする隠蔽シール。
【請求項４】
請求項２又は３に記載の隠蔽シールであって、
当該中心部分は白ベースのインキ層とメジュームベースのインキ層を有し、
当該周囲部分は白ベースのインキ層を有することを特徴とする隠蔽シール。
【請求項５】
請求項１から４のいずれか一項に記載の隠蔽シールであって、肌に装着されるフィルムを有し、当該フィルムの一つの面積は１００ミリ平方メートル以内であることを特徴とする隠蔽シール。
【請求項６】
請求項１から４のいずれか一項に記載の隠蔽シールであって、当該隠蔽シールの形状は、円形状、楕円形状、正方形以上の正多角形状、全ての内角が１８０度未満の凸多角形状又はそれらに近い形状であることを特徴とする隠蔽シール。
【請求項７】
請求項１から４のいずれか一項に記載の隠蔽シールであって、肌に装着されるフィルムを有し、当該フィルムの一つの面積は１００ミリ平方メートル以内であり、かつ当該フィルムの形状は、円形状、楕円形状、正方形以上の正多角形状、全ての内角が１８０度未満の凸多角形状又はそれらに近い形状であることを特徴とする隠蔽シール。
【請求項８】
請求項７に記載の隠蔽シールであって、前記中心部分の面積は１〜３０ミリ平方メートルであり、当該中心部分の着色パターンは、前記隠蔽シールの形状と類似する形状であり、かつ、当該中心部分の中心が前記隠蔽シールの中心とほぼ重なることを特徴とする隠蔽シール。
【請求項９】
請求項７又は８に記載の隠蔽シールであって、前記周囲部分の外縁の着色パターンは、前記隠蔽シールの形状と類似する形状であり、かつ、当該周囲部分の中心が前記隠蔽シールの中心とほぼ重なることを特徴とする隠蔽シール。
【請求項１０】
請求項１〜９のいずれか一項に記載の隠蔽シールであって、当該隠蔽シールの厚さが３０ミクロンメートル以下であることを特徴とする隠蔽シール。
【請求項１１】
請求項１〜１０のいずれか一項に記載の隠蔽シールが台紙の上面に形成され、当該隠蔽シールの上面にキャリア材２が形成されている化粧用隠蔽シールであって、当該キャリア材の面積が当該隠蔽シールの面積よりも大きいことを特徴とする化粧用隠蔽シール。
【請求項１２】
請求項１１に記載の化粧用隠蔽シールであって、当該キャリア材が突起形状を有していることを特徴とする化粧用隠蔽シール。
【発明の詳細な説明】
【技術分野】
【０００１】
本発明は、しみやそばかす等の肌の濃色部分を隠すために用いる化粧用隠蔽シールに関する。
【背景技術】
【０００２】
従来、しみやそばかす等の肌の濃色部分を隠すためには、ファンデーション、その他肌に塗布する方法による化粧品が使われている。しかし、このような方法による化粧品で濃色部分等を隠すためには、化粧に手間と時間を要し、簡便性に欠けていた。そこで、従来から、肌色に着色した隠蔽シールを隠したい部分に貼る方法が提案されている。
例えば、特許文献１には、肌色に着色されたフィルムを肌の隠したい部分に貼るものが開示されている。
また、特許文献２には、肌の濃色部分を隠蔽するためだけではなく、肌の凹凸をも隠すための隠蔽シールとして、フィルムを有しないタイプの化粧用隠蔽シールが開示されている。
【先行技術文献】
【特許文献】
【０００３】
【特許文献１】特許第３８６８５４２号公報
【０００４】
【特許文献２】特許第４６３２３３３号公報
【発明の開示】
【発明が解決しようとする課題】
【０００５】
本発明者は、しみやそばかす等の肌の濃色部分を隠すために用いる化粧用隠蔽シールを実用化するために研究・開発を何度も重ねた結果、これまで実用化に至っていなかった化粧用隠蔽シールの課題として、隠蔽性を高めようとするとフィルムの着色が目立ちすぎてしまい、逆に、フィルムの着色と肌の一体感を高めようとすると、隠蔽性が低くなってしまうという課題があることに初めて気が付いた。
本発明は、このような課題を解決することを目的とするものである。
【課題を解決するための手段】
【０００６】
上記課題を解決するために、本発明は、被装着者の肌に付されて被隠蔽部位を隠蔽する隠蔽シールであって、当該隠蔽シールの一部が肌色に着色されていて、当該着色パターンは当該着色パターンの外縁から適宜の幅で設けられる周囲部分と当該周囲部分で囲まれる中心部分とを有し、当該中心部分においては、着色非存在部分に対する着色存在部分の面積比は約８０％以上であり、中心部分の外縁から周囲部分の外縁に向かって、着色非存在部分に対する着色存在部分の面積比が徐々に減少し、周囲部分の外縁近辺において、着色非存在部分に対する着色存在部分の面積比は約２０％未満となることを特徴とする化粧用隠蔽シールとする。
【０００７】
または、本発明は、被装着者の肌に付されて被隠蔽部位を隠蔽する隠蔽シールであって、当該隠蔽シールの一部が肌色に着色されていて、当該着色パターンは当該着色パターンの外縁から適宜の幅で設けられる周囲部分と当該周囲部分で囲まれる中心部分とを有し、当該中心部分の着色層の数が当該周囲部分の着色層の数よりも多いことを特徴とする隠蔽シールとする。
【０００８】
または、本発明は、被装着者の肌に付されて被隠蔽部位を隠蔽する隠蔽シールであって、当該隠蔽シールの一部が肌色に着色されていて、当該着色パターンは当該着色パターンの外縁から適宜の幅で設けられる周囲部分と当該周囲部分で囲まれる中心部分とを有し、当該中心部分の着色材料と当該周囲部分の着色材料とが異なることを特徴とする隠蔽シールとする。
【図面の簡単な説明】
【０００９】
【図１】図１は、本発明の一実施形態を示す図である。
【図２】図２は、本発明の一実施形態を示す図である。
【図３】図３は、本発明の一実施形態を示す図である。
【図４】図４は、本発明の一実施形態を示す図である。
【図５】図５は、本発明の一実施形態を示す図である。
【図６】図６は、実施例１〜３及び比較例１〜６を説明する図である。
【発明を実施するための形態】
【００１０】
以下、化粧用隠蔽シールの一実施形態について図１〜図６を参照して説明する。なお、以下の図面の記載において、同一又は類似の部分には同一又は類似の符号で表している。但し、図面は模式的なものであり、厚みと平面寸法との関係、各層の厚みの比率等は現実のものとは異なる模式的なものである。
【００１１】
まず、本実施形態の隠蔽シールの構成を説明する。図１は、化粧用隠蔽シールを説明するための平面図である。１は隠蔽シール、２はキャリア材、３は台紙である。なお、図１では、隠蔽シール１とキャリア材２の各１０枚が台紙３に貼られたものが例示されているが、枚数はこれに限定されるものではない。
図２は、図１中の１枚の隠蔽シール１とキャリア材２及び台紙３を含む拡大図である。
図３は、図２の切断線Ａ−Ａで示す部分の断面図である。
図３において、台紙３の上面には隠蔽シール１が形成され、その上面にキャリア材２が形成されている。また、隠蔽シール１は、台紙３の上面に形成された粘着剤５及び粘着剤５の上面に形成されたフィルム４を有している。
【００１２】
ところで、隠蔽シール１の一部は着色されている。この隠蔽シール１の着色は、隠蔽性を高めるために必要であり、肌色（日本人の平均的な肌の色に限られない。）に着色されているが、図１から３においては、この着色に関する記載は省略されている。
【００１３】
隠蔽シール１を使用するにあたっては、まず、台紙３から、キャリア材２を摘まんで、キャリア材２ともに隠蔽シール１が剥がされる。次に、台紙３から剥がされた隠蔽シール１が、粘着剤５の面から肌の隠したい部位に貼られる。そして、キャリア材２が剥がされる。これにより、隠蔽シール１が肌の表面に残る。隠蔽シール１は肌色に着色されていることから、肌の隠したい濃色部分を隠すことができる。
【００１４】
〔隠蔽シール１の形状〕
隠蔽シール１の一つの面の面積は２００ミリ平方メートル以内とすることが望ましく、特に１００ミリ平方メートル以内とすることが望ましい。隠蔽シール１のサイズが大きすぎると、肌に装着された際に隠蔽シール１が目立ちすぎてしまうためである。
【００１５】
また隠蔽シール１が鋭角の形状を有していると、当該鋭角の部分から隠蔽シール１が剥がれやすくなるため、隠蔽シール１は、隠蔽シール１が剥がれやすくなるような鋭角を有しない形状であることが望ましい。
【００１６】
そこで、隠蔽シール１の形状は、円形状、楕円形状、正方形以上の正多角形状、全ての内角が１８０度未満の凸多角形状又はそれらに近い形状とすることが望ましい。特に、円形状が最も望ましい。なお、「それらに近い形状」とは、例えば、ひし形形状、円形若しくは楕円形の曲線の一部を直線とした形状、正多角形若しくは全ての内角が１８０度未満の凸多角形状の直線の一部を曲線とした形状、又はこれらの形状において、曲線や直線の一部に浅い凹凸や波型を設けた形状などが含まれるが、これらに限定されるものではない。また、必ずしも凹多角形状や鋭角を有する形状を一律に排除するものではない。要するに、隠蔽シール１が剥がれやすくなるような鋭角を有しない形状であればよい。なお、角を有する形状の場合には、当該角に丸み（アール）をつけることで、当該角の部分から隠蔽シール１が剥がれやすくなるのを防ぐことができる。
【００１７】
また、隠蔽シール１は、厚すぎると端部が目立ち、また剥がれやすくなってしまうため、３０ミクロンメートル以下とするのが望ましい。
【００１８】
〔キャリア材２〕
キャリア材２の材質は、フィルム４の材質と関連して選定するが、通常、プラスチックなどを用いることが好ましい。
また、キャリア材２の面積はフィルム４の面積よりも大きくすることが望ましい。これにより、面積の小さい隠蔽シール１の取り扱いが容易になる。
また、キャリア材２の一部には凸部６のような突起形状を設けることが望ましい。これにより、キャリア材２を台紙３から剥がす際などに取り扱いが容易になる（図２参照）。
さらに、図１に示すように当該凸部６のような突起形状を外側に向けて並べることにより、１枚の隠蔽シールを台紙３から剥がす際に、他の隠蔽シールを誤って剥がしてしまうことが少なくなる。
【００１９】
〔台紙３〕
台紙３は、粘着剤に貼り合わせて、隠蔽シールを使用する迄の間、その粘着面をカバーするために設けるものである。
従って、通常の粘着シールなどに用いられている台紙、即ち、離型用のシリコンなどを加工した紙や、接着性の低いポリプロピレンなどの樹脂を膜状に積層した紙などが使用できるほか、プラスチックフィルムなどにシリコンを加工した離型性フィルムも使用できる。
【００２０】
〔フィルム４〕
本発明の隠蔽シール１のフィルム４の材料としては、例えば、ポリウレタン等のように透明度が比較的高い樹脂材料が適しているが、特に限定するものではなく何でも使用できる。フィルム４の厚さは、薄ければ薄いほど目立たないが、薄すぎると切れやすくなることから、１〜１０ミクロンメートルが適当である。
なお、フィルム４の製造方法は、特に限定するものではなく、使用する樹脂の種類、厚さ、隠蔽シールの構成などにより、種々の方法を採ることができる。
【００２１】
〔粘着剤５〕
粘着剤は、適度の粘着力を有すると同時に、皮膚に貼着しても安全であることが必要である。このような粘着剤は粘着テープの分野で広く使用されており、本発明においても特に限定されるものではなく、これらの公知のものはいずれも使用できる。もっとも、粘着剤の主成分となる樹脂としては、アクリル系粘着剤を用いることが望ましい。
【００２２】
〔着色〕
次に、隠蔽シール１の着色について説明する。隠蔽シール１の着色方法は何でも良いが、本実施形態では、印刷用のインキを作製し、当該インキを予め製膜されたフィルム４に印刷する方法を一例として説明する。
【００２３】
〔印刷パターン〕
図４は、隠蔽シール１の印刷のパターンについて説明するための模式図であり、隠蔽シール１の平面図である。黒く塗りつぶした部分がインキの印刷された部分で、白地がインキの印刷されていない部分である。
印刷のパターンは、印刷パターンの外縁から適宜の幅で設けられる周囲部分８と当該周囲部分８に囲まれている中心部分７とからなる。
【００２４】
中心部分７の印刷パターンは、図４では円形状となっているが、特にこれに限定されない。もっとも、隠蔽シール１の形状を円形状、楕円形状、正方形以上の正多角形状、全ての内角が１８０度未満の凸多角形状又はそれらに近い形状とし、隠蔽シール１の面積を１００ミリ平方メートル以下とする場合には、当該隠蔽シール１と類似する形状とすることが望ましい。さらに、この場合、中心部分７の中心が隠蔽シール１の中心とほぼ重なるようにすることが望ましい。
【００２５】
また、中心部分７の面積が大きすぎると、中心部分７の着色が目立ちすぎてしまうため、中心部分の面積は、３０ミリ平方メートル以内とすることが望ましい。他方、中心部分の面積は１ミリ平方メートル以上とすることが望ましい。中心部分の面積が１ミリ平方メートル未満の場合、中心部分の面積が小さすぎて、肌の濃色部分を隠せる範囲が狭くなってしまうためである。
【００２６】
中心部分７の印刷は、ベタ印刷と網点印刷のいずれでも良いが、中心部分７における、インキが印刷されていない部分（着色非存在部分）に対するインキが印刷された部分（着色存在部分）の面積比（網点印刷の場合は網点面積率）は約８０％以上とすることが好ましい。当該比率が８０％よりも大幅に低くなると、肌の濃色部分の隠蔽性が低下するためである。
【００２７】
次に、周囲部分８の外縁の形状は、図４では円形状となっているが、特に限定されない。もっとも、隠蔽シール１の形状を円形状、楕円形状、正方形以上の正多角形状、全ての内角が１８０度未満の凸多角形状又はそれらに近い形状とし、中心部分７の印刷パターンを当該隠蔽シール１の形状と類似する形状にする場合には、周囲部分８の外縁の形状を当該隠蔽シール１と類似する形状とすることが望ましい。また、この場合、周囲部分８の中心が隠蔽シール１の中心とほぼ重なるようにすることが望ましい。中心部分７の外縁から周囲部分８の外縁までの距離（幅）をほぼ均等にすることにより、中心部分の着色と肌との一体感を高めることができる。
【００２８】
また、周囲部分８の外縁で囲まれた面積を、中心部分７の面積の１．２倍以上とすることが望ましい。周囲部分８の外縁で囲まれた面積が小さすぎると、中心部分の着色と肌との一体感を高める効果が弱くなってしまうためである。
【００２９】
周囲部分８においては、図４に示すとおり、インキが印刷されていない部分（着色非存在部分）に対するインキが印刷された部分（着色存在部分）の面積比が徐々に減少する。そして、図４に示す通り、周囲部分８の外縁近辺においては、インキが印刷されていない部分（着色非存在部分）に対するインキが印刷されている部分（着色存在部分）の面積比（網点印刷の場合は網点面積率）は約２０％未満となる。これにより、隠蔽シール１が肌に装着された際にインキが目立ちづらくなる。
【００３０】
〔印刷方法等〕
インキの印刷方法は、特に限定するものではなく、フィルム４の樹脂の種類、厚さなどにより、種々の方法を採ることができる。なお、詳細な記述は省略するが、インキを印刷した後に、適宜、公知の技術を用いて、インキの保護処理やキャリア材との粘着性の調整処理を行っても良い。
【００３１】
図５は、隠蔽性を高めつつ、インキと肌の一体感を高めることができるインキの印刷方法等の一例を説明するための概念図である。
まず、フィルム４の中心部分７のインキを印刷する。次に、周囲部分８を含むインキを印刷する。このように、中心部分７の着色の層の数を周囲部分８の着色の層の数よりも多くすることより、隠蔽性を高めつつ、インキと肌の一体感を高めることができる。なお、着色の層の数を変えずに、インキの厚さを変えるようにしても良い。
【００３２】
また、中心部分７のインキとしてはメジュームベースのインキ、周囲部分８を含むインキとしては白ベースのインキを用いることが望ましい。これにより、隠蔽性を高めつつ、インキと肌の一体感を高めることができる。なお、メジュームベースとは、無彩色の希釈用インキをベースとしたインキのことをいい、白ベースとは白色の希釈用インキをベースとしたインキをいう。なお、メジュームベースのインキと白ベースのインキの印刷の順番は逆でも良い。このように中心部分７と周囲部分８とで着色材料を変えることより、隠蔽性を高めつつ、インキと肌の一体感を高めることができる。
【００３３】
図６は、中心部分７のインキと周囲部分８を含むインキとでインキの材料や印刷方法を変えて行った実験結果である。この実験においては、フィルム４の材質としてポリウレタンを用いていた。また、中心部分７の印刷と周囲部分８を含む印刷を行った後にインキ全体にニスを印刷した。
【００３４】
まず、比較例１においはて、中心部分７にごく薄い白引き印刷を行った後に、白ベースのインキを用いて周囲部分８を含む印刷を行った。その結果、中心部分７が目立ちすぎてしまった。
【００３５】
次に、比較例２においては、中心部分７にマットニス引きをした後に、白ベースのインキを用いて周囲部分８を含む印刷を行った。その結果、シミが隠れなかった。
【００３６】
次に、比較例３においては、中心部分７に印圧低めマットニス引きをした後に、白ベースのインキを用いて周囲部分８を含む印刷を行った。その結果、シミが隠れなかった。
【００３７】
次に、比較例４においては、中心部分７に印圧高めマットニス引きをした後に、白ベースのインキを用いて周囲部分８を含む印刷を行った。その結果、シミが隠れなかった。
【００３８】
次に、比較例５においては、中心部分７にメジュームベースのインキを印刷した後に、メジュームベースのインキを用いて周囲部分８を含む印刷を行った。その結果、シミが隠れなかった。
【００３９】
次に、比較例６においては、中心部分７に白ベースのインキを印刷した後に、メジュームベースのインキを用いて周囲部分８を含む印刷を行った。その結果、シミは隠れたが、中心部分７のインキが目立ちすぎた。
【００４０】
次に、実施例１においては、中心部分７にメジュームベースのインキを印刷した後に、白ベースのインキを用いて周囲部分８を含む印刷を行った。その結果、シミを隠すことができ、かつ中心部分７のインキも目立たなかった。
【００４１】
その後、実施例２、３において、実施例１とは色を変えて、中心部分７にメジュームベースのインキを印刷した後に、白ベースのインキを用いて周囲部分８を含む印刷を行った。その結果、実施例１と同様に、シミを隠すことができ、かつ中心部分７のインキも目立たなかった。
【産業上の利用可能性】
【００４２】
以上の実施形態においては、図１〜６を用いて化粧用隠蔽シールの一例を説明してきたが、本発明は上記の実施形態に限定されず、発明の趣旨を逸脱しない範囲で適宜設計変更可能である。例えば、着色方法としてはインキを印刷する方法を説明したが、これに限られない。また、フィルムに着色する例を説明したが、粘着剤に着色するようにしても良い。また、隠蔽シールが粘着性を有する場合には、粘着剤は無くても良い。また、キャリア材及び台紙は必須の構成ではない。
【００４３】
さらに、本発明は、フィルムが無いタイプの化粧用隠蔽シールにも応用することができるが、その場合、肌の濃色部分の隠蔽性が低下しやすいので、中心部分の網点面積率を約９０％以上とすることが望ましい。
【符号の説明】
【００４４】
１    隠蔽シール
２    キャリア材
３    台紙
４    フィルム
５    粘着剤
６    凸部
７    中心部分
８    周囲部分
【図１】
2013252400.tif 000003
【図２】
2013252400.tif 000004
【図３】
2013252400.tif 000005
【図４】
2013252400.tif 000006
【図５】
2013252400.tif 000007
【図６】
2013252400.tif 000008